(57)【要約】【課題】  指紋等の生体認証機能に係る操作性を向上した通信端末装置を提供する。【解決手段】  指紋認証モードで指紋認証を行うのか、それとも指紋データ登録モードで指紋登録を行うのか判定する（ＳＴ１）。指紋認証の場合は、パスコード入力受付（ＳＴ２）、入力パスコード照合（ＳＴ３）、指紋入力受付（ＳＴ４）、入力指紋照合（ＳＴ５）を順に行う。そして、入力指紋データがいずれかの登録指紋データと一致し、且つ、入力パスコードが当該登録指紋データに対応付けて登録されているパスコードと一致するかどうか判定する（ＳＴ６）。この判定がＹＥＳのときだけ指紋認証が成功したとし、それ以外の場合は全て指紋認証が失敗したとする。指紋認証が成功したときは、プリント、ＦＡＸ送信等の各種動作を許可する（ＳＴ７）。指紋認証が失敗したときは、指紋データ登録モードに係る指紋登録処理に移行する。【選択図】      図３
2005250541.tif 000002
【特許請求の範囲】
【請求項１】
入力された入力生体認証データを含む入力データと登録されている登録生体認証データを含む登録データとの照合を行い成功か失敗かを判定する生体認証手段を備え、生体認証が成功した場合に動作を許可する通信端末装置において、
入力データと登録データとの不一致により生体認証が失敗であると判定した場合、入力データを登録データとして登録するための生体認証データ登録モードに移行させる制御手段を備えることを特徴とする通信端末装置。
【請求項２】
登録データは、登録生体認証データに加えて、それに対応付けて登録された登録パスコードを含み、制御手段は、入力された入力パスコードが登録パスコードの中に存在し、且つ、入力生体認証データがいずれの登録生体認証データとも一致しない場合、入力パスコードに対応する登録生体認証データが入力生体認証データと異なる旨を報知するとともに、入力生体認証データを当該登録パスコードに対応付けて新たに登録するか否かの問い合わせを行うことを特徴とする請求項１記載の通信端末装置。
【請求項３】
登録データは、登録生体認証データに加えて、それに対応付けて登録された登録パスコードを含み、制御手段は、入力された入力生体認証データが登録生体認証データの中に存在し、且つ、入力された入力パスコードが当該登録生体認証データに対応する登録パスコードと一致しない場合、入力パスコードが登録パスコードと異なる旨を報知するとともに、入力パスコードを当該登録生体認証データに対応付けて新たに登録するか否かの問い合わせを行うことを特徴とする請求項１又は請求項２記載の通信端末装置。
【請求項４】
登録データは、登録生体認証データに加えて、それに対応付けて登録された登録パスコードを含み、制御手段は、入力された入力生体認証データがいずれの登録生体認証データとも一致せず、且つ、入力された入力パスコードがいずれの登録パスコードとも一致しない場合、入力生体認証データと入力パスコードとを互いに対応付けて新たに登録するか否かの問い合わせを行うことを特徴とする請求項１、請求項２又は請求項３記載の通信端末装置。
【請求項５】
登録データは、登録生体認証データに加えて、それに対応付けて登録された登録パスコードを含み、制御手段は、入力された入力生体認証データがいずれの登録生体認証データとも一致せず、且つ、入力された入力パスコードがいずれの登録パスコードとも一致しない場合、新たな登録を行う旨を報知するとともに、入力生体認証データと入力パスコードとを互いに対応付けて新たに登録することを特徴とする請求項１、請求項２又は請求項３記載の通信端末装置。
【請求項６】
生体認証データ登録モードにおいて、生体認証データ登録時に、生体認証データの入力に加えてパスコードの入力を必要とするか否かを設定し得る設定手段を備えることを特徴とする請求項１、請求項２、請求項３、請求項４又は請求項５記載の通信端末装置。
【発明の詳細な説明】
【技術分野】
【０００１】
この発明は、入力データと登録データとを照合し、入力データと登録データとの不一致により生体認証が失敗である場合に入力データを登録データとして登録するための生体認証データ登録モードに移行させる機能を有する通信端末装置に関する。
【背景技術】
【０００２】
生体認証機能を有する通信端末装置としては、予め個人識別情報及び当該個人の指紋情報を登録した記憶部と、指紋入力部と、指紋入力部から読み取った指紋データを記憶部に登録されている指紋情報と照合する照合部と、その照合の結果が合致した場合のみ記憶部に登録されている個人識別情報を無線でホスト装置側に送信する送信部とを備え、記憶部に登録された指紋データと個人識別情報を対応して個人情報ファイルに格納し、複数の指紋データを登録でき、読み取った指紋データは一番目の登録された指紋データとの照合が不一致の場合、次の登録された指紋データとの照合を行い、合致した場合は新しい読み取った指紋データにて更新登録するように構成した時計型生体認証端末機がある（例えば、特許文献１参照）。
【０００３】
この特許文献１記載の技術によれば、指紋の検証では、初めに指紋入力部から入力された指紋データと一番目の登録指紋データとの第一次照合を行い、合致した場合は、記憶部に保存されている個人識別情報等をホスト装置に無線で発信し、第一次照合が失敗した場合、二番目の登録指紋データとの第二次照合を行い、合致した場合のみホスト装置への送信を行う。第二次照合が失敗した場合、指紋の押捺をやり直し、指紋データを入力し直し、第二次照合が成功した場合、入力した指紋データを記憶部に登録されている一番目の指紋データと更新するようになっている。
【０００４】
また、記憶部に初めて指紋登録をする場合は、指紋登録モードを設定し、メーカより発行されたパスワードを入力して認証を行い、合致した場合、指紋入力部にて一次指紋入力を行い、指紋データと個人識別情報が格納された一次ファイルを作成する。更に、二次指紋入力する場合は、二次入力した指紋データを一次ファイルの指紋データと照合し、合致した場合は、二次入力した指紋データを一次ファイルに加えた二次ファイルを作成し、メーカより発行されたパスワードを自動的に削除し、指紋登録が完了するようになっている。
【特許文献１】特開２００２−８１２４２号公報
【発明の開示】
【発明が解決しようとする課題】
【０００５】
上記特許文献１記載の技術においては、指紋の検証では、第二次照合が失敗した場合、指紋の押捺をやり直し、指紋データを入力し直し、第二次照合が成功した場合、入力した指紋データを記憶部に登録されている一番目の指紋データと更新するようになっており、指紋登録では、パスワードの入力、一次指紋入力（一次ファイル作成）、二次指紋入力、二次ファイル作成、パスワード削除、指紋登録完了の手順を経ており、ユーザ側の立場からみると、指紋認証機能全般についての操作が面倒である。
【０００６】
この発明は、そのような問題点に着目してなされたもので、指紋等の生体認証機能に係る操作性を向上した通信端末装置を提供することを目的とする。
【課題を解決するための手段】
【０００７】
前記目的を達成するために、本発明の通信端末装置は、入力された（読み取った）入力生体認証データを含む入力データと登録されている登録生体認証データを含む登録データとの照合を行い成功か失敗かを判定する生体認証手段を備え、生体認証が成功した場合に動作を許可するものにおいて、入力データ（入力生体認証データ）と登録データ（登録生体認証データ）との不一致により生体認証が失敗であると判定した場合、入力データ（入力生体認証データ）を登録データ（登録生体認証データ）として登録するための生体認証データ登録モードに移行させる制御手段を備えることを特徴とする。
【０００８】
この通信端末装置において、登録データは、登録生体認証データに加えて、それに対応付けて登録された登録パスコードを含み、制御手段は、入力パスコードが登録パスコードの中に存在し、且つ、入力生体認証データがいずれの登録生体認証データとも一致しない場合、入力パスコードに対応する登録生体認証データが入力生体認証データと異なる旨を報知するとともに、入力生体認証データを当該登録パスコードに対応付けて新たに登録するか否かの問い合わせを行うのが好適である。
【０００９】
この場合、パスコードは正確に覚えているが、生体認証の部位（指紋認証の場合、指）を忘れてしまったような場合、パスコードさえ正しく入力すれば、生体認証データは適当な部位（指）のものを入力すれば、その旨を装置が報知してくれるとともに、そのパスコードに対して、新たに入力した部位（指）の生体認証データを登録するか否かを装置が問い合わせてくれる。ユーザは、パスコードに対して生体認証データを上書き（更新）或いは追加登録する旨を指示するか、登録内容は変更しない旨を指示するかを選択することができる。
【００１０】
ここでの生体認証データの上書き（更新）は、生体認証が失敗であると判定した際の入力生体認証データ（新たに入力された生体認証データ、登録されていない生体認証データ）を、入力パスコードに対して前もって登録されていた生体認証データに代えて登録することを意味し、生体認証データの追加登録は、入力生体認証データを、入力パスコード（新たに入力されたパスコード、この場合は登録されているパスコード）に対応付けて登録することを意味する。生体認証データを追加登録した場合、１つの登録パスコードに対して複数の生体認証データが対応付けて登録された状態となる。
【００１１】
また、登録データは、登録生体認証データに加えて、それに対応付けて登録された登録パスコードを含み、制御手段は、入力生体認証データが登録生体認証データの中に存在し、且つ、入力パスコードが当該登録生体認証データに対応する登録パスコードと一致しない場合、入力パスコードが登録パスコードと異なる旨を報知するとともに、入力パスコードを当該登録生体認証データに対応付けて新たに登録するか否かの問い合わせを行うのが好適である。
【００１２】
この場合は、登録した生体認証の部位（指紋認証の場合、指）は正確に覚えているが、パスコードを忘れてしまったような場合、生体認証データを正しく入力すれば、パスコードが間違っていても、その旨を装置が報知してくれるとともに、その生体認証データに対して、新たに入力したパスコードを登録するか否かを装置が問い合わせてくれる。ユーザは、生体認証データに対してパスコードを上書き（更新）或いは追加登録する旨を指示するか、登録内容は変更しない旨を指示するかを選択することができる。
【００１３】
ここでのパスコードの上書き（更新）は、生体認証が成功であると判定した際の入力パスコード（新たに入力されたパスコード、登録されていないパスコード）を、入力生体認証データに対して前もって登録されていた登録パスコードに代えて登録することを意味し、パスコードの追加登録は、入力パスコードを、入力生体認証データ（新たに入力された生体認証データ、この場合は登録されている生体認証データ）に対応付けて登録することを意味する。パスコードを追加登録した場合、１つの生体認証データに対して複数のパスコードが対応付けて登録された状態となる。
【００１４】
また、登録データは、登録生体認証データに加えて、それに対応付けて登録された登録パスコードを含み、制御手段は、入力された入力生体認証データがいずれの登録生体認証データとも一致せず、且つ、入力された入力パスコードがいずれの登録パスコードとも一致しない場合、入力生体認証データと入力パスコードとを互いに対応付けて新たに登録するか否かの問い合わせを行うのが好適である。
【００１５】
この場合は、登録パスコードも登録生体認証の部位も覚えていない場合、或いは、全く新規に生体認証データとパスコードとを対応付けて登録したい場合、生体認証モードにおいて、生体認証データの入力とパスコードの入力とを行えば、自動的に生体認証データ登録モードに移行させることができる。これにより、登録作業が容易に行える。
【００１６】
また、登録データは、登録生体認証データに加えて、それに対応付けて登録された登録パスコードを含み、制御手段は、入力された入力生体認証データがいずれの登録生体認証データとも一致せず、且つ、入力された入力パスコードがいずれの登録パスコードとも一致しない場合、新たな登録を行う旨を報知するとともに、入力生体認証データと入力パスコードとを互いに対応付けて新たに登録するのが好適である。
【００１７】
この場合は、登録パスコードも登録生体認証の部位も覚えていない場合、或いは、全く新規に生体認証データとパスコードとを対応付けて登録したい場合、生体認証モードにおいて、生体認証データの入力とパスコードの入力とを行えば、自動的に入力生体認証データと入力パスコードとを対応付けて登録することができる。また、ユーザは、報知内容を見て、自動登録されたことを知ることができる。
【００１８】
更にまた、生体認証データ登録モードにおいて、生体認証データ登録時に、生体認証データの入力に加えてパスコードの入力を必要とするか否かを設定し得る設定手段を備えるのが好ましい。
【００１９】
なお、本発明において、生体認証データとは、指紋、掌紋、指や掌等の静脈パターン、声紋、顔、網膜、虹彩（アイリス）、などの生体識別可能なあらゆる情報を含んでいる。  
【発明の効果】
【００２０】
本発明によれば、生体認証が失敗した場合に、この失敗判定に連動して入力データを登録データとして登録するための生体認証データ登録モードに移行させるので、すなわち生体認証失敗により直ちに生体認証データ登録モードに移り、改めてユーザが生体認証データ登録モードを設定する必要がないので、それだけ迅速に入力データの登録を行うことができ、生体認証機能に係る操作性が向上する。
【００２１】
請求項２記載の構成とすれば、パスコードは正確に覚えているが、生体認証の部位を忘れてしまったような場合でも、ユーザは、パスコードに対して生体認証データを上書き（更新）或いは追加登録する旨を指示するか、登録内容は変更しない旨を指示するかを選択することができる。
【００２２】
請求項３記載の構成とすれば、登録した生体認証の部位は正確に覚えているが、パスコードを忘れてしまったような場合でも、ユーザは、生体認証データに対してパスコードを上書き（更新）或いは追加登録する旨を指示するか、登録内容は変更しない旨を指示するかを選択することができる。
【００２３】
請求項４記載の構成とすれば、登録パスコードも登録生体認証の部位も覚えていない場合や、全く新規に生体認証データとパスコードとを対応付けて登録したい場合に、生体認証データの入力とパスコードの入力とにより、自動的に生体認証データ登録モードに移行するので、登録作業が容易に行える。
【００２４】
請求項５記載の構成とすれば、登録パスコードも登録生体認証の部位も覚えていない場合や、全く新規に生体認証データとパスコードとを対応付けて登録したい場合に、生体認証データの入力とパスコードの入力とにより、自動的に入力生体認証データと入力パスコードとを対応付けて登録することができるだけでなく、ユーザは、報知内容を見て、自動登録されたことを知ることができる。
【００２５】
請求項６記載の構成とすれば、生体認証データ登録モードにおいて、パスコードは登録せずに生体認証データを登録するか、或いは、生体認証データとともにパスコードも登録するかを、ユーザがセキュリティ性能や操作性を考慮して設定することができる。
【発明を実施するための最良の形態】
【００２６】
以下、実施の形態により、この発明を更に詳細に説明する。
【００２７】
その実施形態に係る通信端末装置としてのファクシミリ装置の構成例を図１にブロック図で示す。このファクシミリ装置は、コピー機能とファクシミリ機能を併有する複合機として構成したものであり、制御手段としてのＭＰＵ（中央処理装置）１と、ＮＣＵ（網制御回路：Network Control Unit）２と、ＭＯＤＥＭ３と、表示部４と、操作部５と、生体認証手段としての指紋認証装置６と、ＲＯＭ７と、ＲＡＭ８と、画像メモリ９と、ＣＯＤＥＣ（符号化・復号器：Coder and Decoder ）１０と、プリンタ１１と、ＬＡＮ  Ｉ／Ｆ１２とを備え、これら各部がバス１３を介して接続されている。
【００２８】
ＭＰＵ１は、ＲＯＭ７に記憶されたプログラムに従い、この装置を構成する各部を統括制御する。また、ＭＰＵ１は、次の各機能 [1]〜[5] を有する。
【００２９】
[1]指紋認証モードにおいて、入力データと登録データとの不一致により指紋認証が失敗であると判定した場合、入力データを登録データとして登録するための指紋データ登録モードに移行させる機能。
【００３０】
[2]入力された入力パスコードが登録パスコードの中に存在し、且つ、入力指紋データがいずれの登録指紋データとも一致しない場合、入力パスコードに対応する指紋データが入力指紋データと異なる旨を報知するとともに、入力指紋データを当該登録パスコードに対応付けて新たに登録するか否かの問い合わせを行う機能。
【００３１】
[3]入力された入力指紋データが登録指紋データの中に存在し、且つ、入力された入力パスコードが当該登録指紋データに対応する登録パスコードと一致しない場合、入力パスコードが登録パスコードと異なる旨を報知するとともに、入力パスコードを当該登録指紋データに対応付けて新たに登録するか否かの問い合わせを行う機能。
【００３２】
[4]入力された入力指紋データがいずれの登録指紋データとも一致せず、且つ、入力された入力パスコードがいずれの登録パスコードとも一致しない場合、入力指紋データと入力パスコードとを互いに対応付けて新たに登録するか否かの問い合わせを行う機能。
【００３３】
[5]入力された入力指紋データがいずれの登録指紋データとも一致せず、且つ、入力された入力パスコードがいずれの登録パスコードとも一致しない場合、新たな登録を行う旨を報知するとともに、入力指紋データと入力パスコードとを互いに対応付けて新たに登録する機能。
【００３４】
ＮＣＵ２は、ＭＰＵ１により制御されて、通信回線である公衆電話回線網（ＰＳＴＮ）１４との接続を制御するとともに、通信相手先の電話番号（ＦＡＸ番号を含む）に応じたダイヤルパルスを送出する機能、及び着信を検出する機能を有する。
【００３５】
ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、ＮＣＵ２を介して公衆電話回線網１４に送出するために、デジタル信号である送信データをアナログの音声信号に変調する機能や、公衆電話回線網１４からＮＣＵ２を介して受信したアナログの音声信号をデジタル信号に復調する機能を有する。
【００３６】
表示部４は、装置の動作状態等の各種情報、操作部５により入力した情報等の他に、入力パスコードに対応する登録指紋データが入力指紋データと異なる旨、入力パスコードが登録パスコードと異なる旨、入力指紋データと入力パスコードとを互いに対応付けて新たな登録を行う旨、などを表示する。この表示部４としては、例えば液晶表示装置（ＬＣＤ）が用いられる。
【００３７】
操作部５は、テンキー、モード切替キー、ワンタッチキー、短縮キー、登録キー、スタートキー、ストップキー等を有する。モード切替キーとして、指紋認証モードと指紋データ登録モードを手動でも切り替えることができるように指紋認証モードキーと指紋データ登録モードキーを備えていてもよいし、それらのモードキーの代わりに、表示部４に近接して機能キーを設け、この機能キーの中から表示部４の表示により指紋認証モードキーと指紋データ登録モードキーを指定してもよいし、或いは表示部４がタッチセンサ式である場合は、表示部４に指紋認証モードキーや指紋データ登録モードキーを表示してもよい。また、パスコード設定の有無を選択するキー（設定手段）も、モードキーと同様に設けておく。
【００３８】
指紋認証装置６は、ここでは生体認証データとして指紋を認証するものであり、指紋を読み取る指紋読取部と、読み取った指紋と登録済みの指紋とを照合して一致するか否かを判定する指紋認証部とを有する。この指紋認証装置６としては、既知のものを使用すればよい。ＲＯＭ７は、この装置全体の動作を制御するためのプログラム等を記憶する。
【００３９】
ＲＡＭ８は、ＭＰＵ１による制御に必要なデータ及び制御動作時に一時記憶が必要なデータ等を記憶する。また、ＲＡＭ８は、指紋認証装置６の指紋読取部で読み取られた指紋をパスコードに対応付けて登録する指紋登録テーブル８ａを有する。この指紋登録テーブル８ａは、例えば図２に示すように、各パスコードに対応して指紋データを登録してある。但し、指紋データはイメージデータとして格納するので、イメージ特定情報（ファイル名又は格納位置を示すアドレス）として示されている。図２では、パスコード「１２３」に対応して指紋データ「ＡＢＣ」が、パスコード「４５６」に対応して指紋データ「ＤＥＦ」が、パスコード「７８９」に対応して指紋データ「ＧＨＩ」が登録されている。勿論、パスコードは４桁以上でもよいし、数字以外の文字（平仮名、片仮名、英文字など）や記号でもよく、それらの組合せでもよい。
【００４０】
なお、図２では、パスコードと指紋データを対応して登録してあるが、以下のフロー図に係る動作でも説明するように、パスコード無しで指紋データだけを登録する場合もある。
【００４１】
画像メモリ９は、画像読取部（スキャナ）で読み取った画像データを符号化し、圧縮状態で記憶する。ＣＯＤＥＣ１０は、読み取った画像データを送信又は記憶するために、ＭＨ、ＭＲ、ＭＭＲ方式等により符号化（エンコード）する。また、ＣＯＤＥＣ１０は、圧縮符号化された状態で受信した画像データを、プリンタ１１により記録するために復号（デコード）する。プリンタ１１は、電子写真方式のものであり、受信画像データやコピー動作において画像読取部で読み取った原稿の画像データを記録紙上に記録する。ＬＡＮ  Ｉ／Ｆ１２は、ＬＡＮ１５を介して外部機器と各種データの送受信を行う。
【００４２】
このように構成したファクシミリ装置は、指紋認証モードと指紋データ登録モードを備え、指紋認証モードにおいて、入力データと登録データとの不一致により指紋認証が失敗であると判定した場合、入力データを登録データとして登録するための指紋データ登録モードに移行させることが主な特徴（上記機能[1] ）であることに加えて、上記機能 [2]〜[5] を有することも特徴である。
【００４３】
指紋認証モードでは、指紋データの照合（一致／不一致判定）とパスコードの照合（一致／不一致判定）を行い、指紋データ登録モードでは、入力された指紋データの登録を行う。以下にも説明するように、指紋データの照合とパスコードの照合とは個別に行うことができる。その場合、指紋データの照合とパスコードの照合との順序は、ユーザが設定（変更）可能である。これにより、ユーザは、セキュリティ性能と使い勝手とを考慮して、両者の照合順序を任意に設定することができる。
【００４４】
次に、このファクシミリ装置のそのような特徴について、図３及び図４のフロー図を参照して説明する。まず、図３のフロー図のステップＳＴ１において、指紋認証モードで指紋認証を行うのか、それとも指紋データ登録モードで指紋登録を行うのか判定する。
【００４５】
ステップＳＴ１において、指紋認証の場合は、ステップＳＴ２において、パスコード入力受付を行う。パスコードは、例えばユーザが操作部５のキーにより入力する。なお、パスコードは前記したように英文字、数字、その他の記号、それらの組合せ等からなるものであり、特定されない。続いて、ステップＳＴ３において、入力されたパスコードと予めＲＡＭ８の指紋登録テーブル８ａに登録されているパスコードとを照合する。この照合の結果は、例えばＲＡＭ８に一時的に記憶される。
【００４６】
そして、ステップＳＴ４において、指紋入力受付を行う。この指紋入力受付は指紋認証装置６で行われる。すなわち、例えばユーザが操作部５に設けられた指当接部に指を載せ、読み取り開始キーを押すことで、指紋が読み取られる。次いで、ステップＳＴ５において、読み取った（入力した）指紋データと予めＲＡＭ８の指紋登録テーブル８ａに登録されている指紋データとを照合する。この照合の結果も、例えばＲＡＭ８に一時的に記憶される。
【００４７】
次のステップＳＴ６においては、ステップＳＴ３の照合結果とステップＳＴ５の照合結果とにより、入力指紋データがいずれかの登録指紋データと一致し、且つ、入力パスコードが当該登録指紋データ（入力指紋データと一致した登録指紋データ）に対応付けて登録されているパスコードと一致するかどうか判定する。この判定がＹＥＳのときだけ、指紋認証が成功したとし、それ以外の場合は全て判定ＮＯで、指紋認証が失敗したとする。
【００４８】
そして、指紋認証が成功したときは、ステップＳＴ７において、プリント、ＦＡＸ送信等の各種動作を許可した後、リターンする。指紋認証が失敗したときは、図４のフロー図に示す指紋データ登録モードに係る指紋登録処理のステップＳＴ１４に移行する。一方、ステップＳＴ１において、指紋登録の場合は、ステップＳＴ８において、指紋データ登録モードに移行し、図４のステップＳＴ１１から処理を開始する。
【００４９】
図４のフロー図の指紋登録処理では、ステップＳＴ１１において、指紋入力受付を行い、ユーザが指紋を入力する。次のステップＳＴ１２においては、パスコード設定有りか否か判定する。ここで、ユーザがパスコードの設定有りを選択すると、ステップＳＴ１３において、前記と同様にパスコード入力受付を行う。
【００５０】
続いて、ステップＳＴ１４において、入力パスコード及び入力指紋データがＲＡＭ８の指紋登録テーブル８ａに登録されているかどうか判定する。この場合、当初から指紋データ登録モードを指定したときは、ステップＳＴ１１における入力指紋データとステップＳＴ１３における入力パスコードとが登録済みであるか判定し、当初は指紋認証モードであったが、指紋認証の失敗により指紋データ登録モードに移行したときは、ステップＳＴ３における入力パスコードの照合結果とステップＳＴ５における入力指紋データの照合結果とを判定に用いる。
【００５１】
ステップＳＴ１４での判定結果に応じて、判定１、判定２、判定３に分岐する。判定１は、入力パスコードは登録済みであるが、入力指紋データがいずれの登録指紋データとも一致しない場合で、ステップＳＴ１５に移行する。判定２は、入力指紋データは登録済みであるが、入力パスコードがいずれの登録パスコードとも一致しない場合で、ステップＳＴ１６に移行する。判定３は、入力パスコードがいずれの登録パスコードとも一致せず、且つ、入力指紋データがいずれの登録指紋データとも一致しない場合で、ステップＳＴ１７に移行する。
【００５２】
判定１の場合、ステップＳＴ１５において、入力パスコードに対応する登録指紋データが入力指紋データと異なる旨を表示部４により表示するとともに、入力指紋データを登録パスコードに対応付けて登録するか問い合わせる。これに対してユーザがＹＥＳの回答をしたときは、ステップＳＴ１８において、その登録パスコードに対応付けて登録されていた指紋データを、新たに入力された指紋データに更新登録するか、又は入力指紋データを登録パスコードに対応付けて追加登録する。その後、リターンする。なお、指紋の更新登録又は追加登録の選択は、例えば表示部４でのその旨の表示と操作部５での操作によりユーザに行わせる。ステップＳＴ１５において、ユーザがＮＯの回答をしたときは、ステップＳＴ１８をスキップし、リターンする。
【００５３】
判定２の場合、ステップＳＴ１６において、入力パスコードが登録パスコードと異なる旨を表示部４により表示するとともに、入力パスコードを登録指紋データに対応付けて登録するか問い合わせる。これに対してユーザがＹＥＳの回答をしたときは、ステップＳＴ１９において、その登録指紋データに対応して登録されていたパスコードを、新たに入力されたパスコードに更新登録するか、又は入力パスコードを登録指紋データに対応付けて追加登録する。その後、リターンする。同様に、パスコードの更新登録又は追加登録の選択は、表示部４でのその旨の表示と操作部５での操作によりユーザに行わせる。ステップＳＴ１６において、ユーザがＮＯの回答をしたときは、ステップＳＴ１９をスキップし、リターンする。
【００５４】
判定３の場合、ステップＳＴ１７において、入力指紋データと入力パスコードとを互いに対応付けて登録するか問い合わせる。これに対してユーザがＹＥＳの回答をしたときは、ステップＳＴ２０において、入力指紋データと入力パスコードとを対応付けて指紋登録テーブル８ａに新規登録する。その後、リターンする。ステップＳＴ１７において、ユーザがＮＯの回答をしたときは、ステップＳＴ２０をスキップし、リターンする。
【００５５】
他方、ステップＳＴ１７におけるユーザへの問い合わせ処理を省略すれば、ステップＳＴ１４において、判定３であるなら、ステップＳＴ２０において、自動的に入力指紋データと入力パスコードとを対応付けて新規登録することになる。この場合、自動登録するとともに、ユーザにその旨を報知する。
【００５６】
なお、図４のフロー図には示されていないが、当初から指紋データ登録モードである場合で、ステップＳＴ１２でパスコードの設定有りが選択されたときは、基本的には入力指紋データと入力パスコードとを対応付けて新規登録することになる。しかしながら、今回入力された指紋データとパスコードが既に登録済みであるか否かを判定し、重複していると判断したときは、その旨をユーザに報知し、そのまま新規登録するか、或いは、登録操作を中止するかを選択させてもよい。また、入力パスコードのみが重複する場合、選択肢としてパスコードの変更を追加してもよい。
入力パスコードは登録済みであり、且つ、入力指紋データは登録済みであるときに判定４とし、判定３と同じくステップＳＴ１７に移行する。
【００５７】
なお、当初から指紋データ登録モードの場合で、ステップＳＴ１２において、パスコードの設定無しが選択されたときは、ステップＳＴ２１において、入力指紋データを新たに登録するか問い合わせる。これに対してユーザがＹＥＳの回答をしたときは、ステップＳＴ２２において、入力指紋データを新規登録するが、パスコードと対応付けはしない。その後、リターンする。ステップＳＴ２１において、ユーザがＮＯの回答をしたときは、ステップＳＴ２２をスキップし、リターンする。
【００５８】
図３及び図４の処理によれば、特に指紋認証モードでの指紋認証において、指紋認証が失敗した場合に、そのまま指紋データ登録モードに移行するので、改めてユーザが指紋データ登録モードを設定するのに比べて、迅速に指紋データの登録、追加などを行うことができ、指紋の認証機能に係る操作性が向上する。
【００５９】
なお、図４のフロー図では、ステップＳＴ１２において、パスコードの入力を必要とするか否かを設定し得るようになっているが、ステップＳＴ１２を省略し、パスコードの入力を必然としてもよい。
【図面の簡単な説明】
【００６０】
【図１】実施形態に係る通信端末装置としてのファクシミリ装置（コピー機能とファクシミリ機能を併有する複合機）の構成の一例を示すブロック図である。
【図２】同ファクシミリ装置のＲＡＭにおける指紋登録テーブルを示す図である。
【図３】同ファクシミリ装置の動作（特に指紋認証モードに係る動作）を説明するためのフロー図である。
【図４】同ファクシミリ装置の指紋データ登録モードに係る動作を説明するためのフロー図である。
【符号の説明】
【００６１】
１      ＭＰＵ（制御手段）
２      ＮＣＵ
３      ＭＯＤＥＭ
４      表示部
５      操作部
６      指紋認証装置（生体認証手段）
７      ＲＯＭ
８      ＲＡＭ
８ａ    指紋登録テーブル
９      画像メモリ
１０    ＣＯＤＥＣ
１１    プリンタ
１２    ＬＡＮ  Ｉ／Ｆ
【図１】
2005250541.tif 000003
【図２】
2005250541.tif 000004
【図３】
2005250541.tif 000005
【図４】
2005250541.tif 000006